(57)【特許請求の範囲】
【請求項１】
建築物の構造躯体に固定する背板部と、該背板部の下方において前方斜め下方へ屈曲した水切り板部と、該水切り板部の前端から下方へ屈曲した前板部とを有する水切りの施工方法であって、
背板部の表面には、ホットメルト系粘着剤からなり、前方に向かって突出した状態で点在している粘着層を有する水切りを、該背板部の裏面を構造躯体に当接した状態で固定し、
次に、粘着層の複数の突起の頂部に透湿防水シートを接着させ、
更に、透湿防水シートの表面に胴縁を配し、該胴縁を固定することにより、粘着層の複数の突起を押し潰して該透湿防水シートを固定する
ことを特徴とする水切りの施工方法。
【請求項２】
建築物の構造躯体に固定する背板部と、該背板部の下方において前方斜め下方へ屈曲した水切り板部と、該水切り板部の前端から下方へ屈曲した前板部とを有する水切りの施工方法であって、
背板部の表面には、ホットメルト系粘着剤からなり、断面が半円形の状態で該背板部の長さ方向に延びている粘着層を有する水切りを、該背板部の裏面を構造躯体に当接した状態で固定し、
次に、粘着層の頂部に透湿防水シートを接着させ、
更に、透湿防水シートの表面に胴縁を配し、該胴縁を固定することにより、粘着層を押し潰して該透湿防水シートを固定する
ことを特徴とする水切りの施工方法。
【請求項３】
建築物の構造躯体に固定する背板部と、該背板部の下方において前方斜め下方へ屈曲した水切り板部と、該水切り板部の前端から下方へ屈曲した前板部とを有する水切りの施工方法であって、
背板部の表面には、ホットメルト系粘着剤からなり、前方に向かって突出した突起を複数有する粘着層を有する水切りを、該背板部の裏面を構造躯体に当接した状態で固定し、
次に、粘着層の複数の突起の頂部に透湿防水シートを接着させ、
更に、透湿防水シートの表面に胴縁を配し、該胴縁を固定することにより、粘着層の複数の突起を押し潰して該透湿防水シートを固定する
ことを特徴とする水切りの施工方法。
【請求項４】
請求項２又は３に記載の水切りの施工方法であって、
前記粘着層は、内部に空隙を有するとともに表面に粘着性を有する
ことを特徴とする水切りの施工方法。
【発明の詳細な説明】
【技術分野】
【０００１】
本発明は、建築物に配設されるとともに、外壁材の表面を伝って流下してきた雨水を前方へ排出する水切りの施工方法に関するものである。
【背景技術】
【０００２】
従来、水切りは、金属板を切断、折り曲げて製造された、水平方向に長い形状であり、建築物の外壁の表面を流下した雨水が建築物内部に侵入するのを防ぐために、建築物の土台部や、上下に配置された外壁板の間などに配設されている。
【０００３】
例えば、非特許文献１には、釘などにより固定される取付壁部と、該取付壁部の下端から前方斜め下方へ屈曲した傾斜突出壁部と、該傾斜突出壁部の前端から下方へ屈曲した突出端壁部とからなる水切りが開示されている。そして、該取付壁部を釘により建築物の土台に固定して、該水切りを建築物の土台部に固定すること、及びそれにより外壁の外面を伝って流下してきた雨水を外方に導いて滴下させることが記載されている。
【０００４】
また、特許文献１には、薄板状の塩ビ鋼板を折り曲げて断面視Ｚ状に形成した、取付部と、該取付部の下端に形成された水切り部とを備えた水切りが開示されている。なお、水切り部は、取付部の下端から下側の外装材の表面上端部に向かって、該外装材の裏面側から表面側に傾斜するようにして配置され、該外装材の上端面を覆う延出部と、該延出部の先端部から該外装材の表面に沿って下方に延出し、該外装材の表面上端部を覆う別の延出部と、該別の延出部の先端部から該外装材の裏面側に向かって上方に延出する突起部とを備えることも開示されている。そして、該取付部を、上側の外装材と、下側の外装材との間から挿入し、該取付部にビスなどの止着材を打ち込んで固定し、該水切りにより、上側の外装材と下側の外装材の裏面側に雨水などの水が侵入するのを防止することが記載されている。
【０００５】
更に、特許文献２には、一枚の長尺な面材からなり、外壁本体に取り付けられる取付部と、該取付部から曲折して設けられた傾斜面と、該傾斜面から更に曲折する露出面とで構成された水切りが開示されている。そして、該水切を、外壁と下屋とが接続される下屋接続部に配することにより、該下屋接続部を防水することが開示されている。
【０００６】
このように、水切りは、建築物の土台部や、上下に配置された外壁板の間、外壁と下屋とが接続される下屋接続部などに施工され、それにより外壁材の表面を伝って流下してきた雨水を前方へ排出する。
【０００７】
そして、いずれの施工構造にも共通することとして、外壁板と構造躯体の間には透湿防水シートが配されており、それにより該構造躯体の防水が行われている。該透湿防水シートは、該構造躯体に固定された水切りの表面の一部をも覆うよう設けられており、通常、該透湿防水シートの下端は、粘着テープにより水切りに貼り付けられている。なお、風で該透湿防水シートがばたつくことを防ぐためや、吹き返しなどによる下側からの雨水の浸入を防ぐために、該粘着テープは、水切りの長手方向全体に渡って、該透湿防水シートの下端を塞ぐように貼り付けられる。
【０００８】
そのため、水切りに粘着シートを貼る作業は手間がかかる。また、透湿防水シート又は粘着テープの貼り位置を直す場合には、該粘着テープと該透湿防水シートが強固に接着し、該透湿防水シートが破れやすいという問題もある。更に、透湿防水シート又は粘着テープの貼り位置を直すことが難しいので、透湿防水シートを貼る際に皺が発生しても直せないという問題もある。
【０００９】
そこで、特許文献３には、水切りの固定基体となる取付部の前面に、両面粘着テープなどの粘着テープが予め貼付けられている水切りが開示されている。
【００１０】
特許文献３の水切りによれば、取付部の前面に粘着テープが予め貼付けられているので、作業は軽減する。しかし、透湿防水シート又は粘着テープの貼り位置を直す場合に該透湿防水シートが破れやすいという問題は解決できておらず、該透湿防水シートを貼る際に皺が発生しても直せないという問題も解決できない。
【先行技術文献】
【特許文献】
【００１１】
【特許文献１】特開２００３−９６９３１号公報
【特許文献２】特開２００２−１２１８７１号公報
【特許文献３】特開２００４−３００８７３号公報
【非特許文献】
【００１２】
【非特許文献１】登録実用新案第３０３１１２３号公報
【発明の概要】
【発明が解決しようとする課題】
【００１３】
本発明は、施工が行いやすいとともに、透湿防水シートの貼り位置を容易に直すことができる水切りの施工方法を提供するものである。
【課題を解決するための手段】
【００１４】
本発明は、建築物の構造躯体に固定する背板部と、該背板部の下方において前方斜め下方へ屈曲した水切り板部と、該水切り板部の前端から下方へ屈曲した前板部とを有し、該背板部の表面にはホットメルト系粘着剤からなる粘着層を有する水切りの施工方法を提供する。なお、該粘着層は、前方に向かって突出した状態で点在しているか、又は、断面が半円形の状態で該背板部の長さ方向に延びているか、又は、前方に向かって突出した突起を複数有することのいずれかであり、本発明では、水切りを、該背板部の裏面を構造躯体に当接した状態で固定し、次に、該粘着層の頂部に透湿防水シートを接着させ、更に、該透湿防水シートの表面に胴縁を配し、該胴縁を固定することにより、該粘着層を押し潰して該透湿防水シートを固定することを特徴とする。また、該粘着層は、内部に空隙を有するとともに、表面に粘着性を有することが好ましい。
なお、水切りは、ガルバリウム鋼板（登録商標）、ガルタイト鋼板（登録商標）、アルミ鋼板、ステンレス鋼板、合金めっき鋼板、トタン、銅板などの金属板や、フェノール樹脂、アクリル樹脂、エポキシ樹脂などの樹脂板を折り曲げ加工、又は押出加工することにより製造されている。また、粘着層は、スチレンーブタジエンースチレン共重合体、スチレンーブタジエンーエチレン−スチレン共重合体、エチレン酢酸ビニル樹脂、ポリオレフィン樹脂、ウレタン樹脂、ポリアミド樹脂、合成ゴムなどからなるホットメルト系粘着剤により形成されている。ホットメルト系粘着剤を窒素ガスで発泡させて形成されていると、表面に粘着性を有するとともに内部に空隙を有するので潰れやすく、更に、製造費用が安く抑えられるので好ましい。
【発明の効果】
【００１５】
本発明によれば、施工が行いやすいとともに、透湿防水シートの貼り位置を容易に直すことができる水切りの施工方法を提供することができる。
【図面の簡単な説明】
【００１６】
【図１】図１は、本発明にかかる水切りの一実施例の正面図である。
【図２】図２は、図１に示す水切りの右側面図である。
【図３】図３は、図１、２に示す水切りを用いて形成された建築物の土台部の施工状態を示す断面図である。
【図４】図４は、本発明にかかる水切りの他の実施例の正面図である。
【図５】図５は、図４に示す水切りの右側面図である。
【図６】図６は、図４、５に示す水切りを用いて形成された建築物の土台部の施工状態を示す断面図である。
【図７】図７は、本発明にかかる水切りの更に他の実施例の正面図である。
【図８】図８は、図７に示す水切りの右側面図である。
【図９】図９は、本発明にかかる水切りの更に他の実施例の正面図である。
【図１０】図１０は、図９に示す水切りの右側面図である。
【図１１】図１１は、図９、１０に示す水切りを用いて形成された建築物の土台部の施工状態を示す断面図である。
【発明を実施するための形態】
【００１７】
以下、図面を参照しながら本発明について詳細に説明する。
【００１８】
図１は、本発明にかかる水切りの一実施例の正面図であり、図２は、図１に示す水切りの右側面図である。
図１、図２に示す水切りＡ１は、１枚のガルバリウム鋼板（登録商標）を折曲加工して製造されており、建築物の構造躯体に固定する背板部１ａと、背板部１ａの下方において前方斜め下方へ屈曲した水切り板部１ｂと、水切り板部１ｂの前端から下方へ屈曲した前板部１ｃが連結して形成されている。詳しくは、背板部１ａは、平坦な板部である。背板部１ａの下方端部からは水切り板部１ｂが、前方斜め下方へ延びている。水切り板部１ｂの前端からは前板部１ｃが、下方に延びている。そして、背板部１ａの表面には、半球形状に突出した形状のスチレンーブタジエンースチレン共重合体からなる粘着層１ｄが、上下及び左右に複数点在している。
【００１９】
図３は、図１、２に示す水切りを用いて形成された建築物の土台部の施工状態を示す断面図である。
図３では、図１、図２に示す水切りＡ１は、背板部１ａの裏面を建築物の構造躯体に当接するとともに、水切り板部１ｂと前板部１ｃが外壁板Ｄより下方となり、更に前板部１ｃが建築物の構造躯体より前方になる位置に固定してある。そして、水切りＡ１の背板部１ａの表面には、透湿防水シートＢが、粘着層１ｄにより固定されている。更に、透湿防水シートＢの表面には、胴縁がビスＣにより固定されており、該胴縁の表面には、外壁板Ｄが固定されている。この施工構造は、水切りＡ１を建築物の構造躯体に固定し、それから、水切りＡ１の背板部１ａの表面に透湿防水シートＢを固定するのだが、水切りＡ１の背板部１ａの表面には複数の粘着層１ｄが設けられているので、粘着層１ｄにより透湿防水シートＢを固定することができる。また、粘着層１ｄは、半球形状に突出した形状であるとともに、複数点在しているので、胴縁が固定される前であれば、透湿防水シートＢは粘着層１ｄの頂部に接着した状態、すなわち、粘着層１ｄの全体ではなく一部と接着した状態なので、透湿防水シートＢの剥がしと再固定を容易に行うことができる。そのため、透湿防水シートＢを貼る際に皺が発生しても、容易に直すことができる。なお、胴縁が固定されることにより、粘着層１ｄは押し潰され、透湿防水シートＢと粘着層１ｄの接着面積は増加するので、透湿防水シートＢを確実に固定することができる。
よって、図１、２に示す水切りＡ１によれば、施工が行いやすいとともに、透湿防水シートＢの貼り位置を容易に直すことができる。
【００２０】
図４は、本発明にかかる水切りの更に他の実施例の正面図であり、図５は、図４に示す水切りの右側面図である。
図４、図５に示す水切りＡ２も、図１、図２に示す水切りＡ１と同じように、１枚のガルバリウム鋼板（登録商標）を折曲加工して製造されており、背板部２ａと、水切り板部２ｂと、前板部２ｃが連結して形成されており、背板部２ａの表面には、粘着層が設けられている。しかし、水切りＡ２は、水切りＡ１とは粘着層の材質と形状が異なる。水切りＡ２では、背板部２ａの表面の粘着層２ｄはスチレンーブタジエンーエチレン−スチレン共重合体を窒素ガスで発泡させた、内部に空隙を有するとともに、表面に粘着性を有する材であり、断面が半円形の状態で背板部２ａの長さ方向に延びている。
【００２１】
図６は、図４、５に示す水切りを用いて形成された建築物の土台部の施工状態を示す断面図である。
図６では、図４、図５に示す水切りＡ２は、背板部２ａの裏面を建築物の構造躯体に当接するとともに、水切り板部２ｂと前板部２ｃが外壁板Ｄより下方となり、更に前板部２ｃが建築物の構造躯体より前方になる位置に固定してある。そして、水切りＡ２の背板部２ａの表面には、透湿防水シートＢが、粘着層２ｄにより固定されている。更に、透湿防水シートＢの表面には、胴縁がビスＣにより固定されており、該胴縁の表面には、外壁板Ｄが固定されている。この施工構造は、水切りＡ２を建築物の構造躯体に固定し、それから、水切りＡ２の背板部２ａの表面に透湿防水シートＢを固定するのだが、水切りＡ２の背板部２ａの表面には粘着層２ｄが設けられているので、粘着層２ｄにより透湿防水シートＢを固定することができる。また、粘着層２ｄは、断面が半円形の状態で背板部２ａの長さ方向に延びているので、胴縁が固定される前であれば、透湿防水シートＢは粘着層２ｄの頂部に接着した状態、すなわち、粘着層２ｄの全体ではなく一部と接着した状態なので、透湿防水シートＢの剥がしと再固定を容易に行うことができる。そのため、透湿防水シートＢを貼る際に皺が発生しても、容易に直すことができる。なお、胴縁が固定されることにより、粘着層２ｄは押し潰され、透湿防水シートＢと粘着層２ｄの接着面積は増加するので、透湿防水シートＢを確実に固定することができる。特に、粘着層２ｄは、スチレンーブタジエンーエチレン−スチレン共重合体を窒素ガスで発泡させた、内部に空隙を有する材よりなるので潰れやすく、透湿防水シートＢとの接着が強固になる。
よって、図７、８に示す水切りＡ３によれば、施工が行いやすいとともに、透湿防水シートＢの貼り位置を容易に直すことができる。
【００２２】
図７は、本発明にかかる水切りの更に他の実施例の正面図であり、図８は、図７に示す水切りの右側面図である。
図７、図８に示す水切りＡ３も、図４、図５に示す水切りＡ２と同じように、１枚のガルバリウム鋼板（登録商標）を折曲加工して製造されており、背板部３ａと、水切り板部３ｂと、前板部３ｃが連結して形成されており、背板部３ａの表面には、粘着層が設けられており、該粘着層は、スチレンーブタジエンーエチレン−スチレン共重合体を窒素ガスで発泡させた、内部に空隙を有するとともに、表面に粘着性を有する材からなる。しかし、水切りＡ３は、水切りＡ２とは粘着層の形状が異なる。水切りＡ３では、粘着層は、断面が半円形の状態で背板部３ａの長さ方向に延びていた３本のビードから形成されている。
しかし、図７、図８に示す水切りＡ３においても、図４、図５に示す水切りＡ２と同じように施工することができ、水切りＡ２と同じ効果を得ることができる。
【００２３】
図９は、本発明にかかる水切りの他の実施例の正面図であり、図１０は、図９に示す水切りの右側面図である。
図９、図１０に示す水切りＡ４も、図４、図５に示す水切りＡ２と同じように、１枚のガルバリウム鋼板（登録商標）を折曲加工して製造されており、背板部４ａと、水切り板部４ｂと、前板部４ｃが連結して形成されており、背板部４ａの表面には、粘着層が設けられており、該粘着層は、スチレンーブタジエンーエチレン−スチレン共重合体を窒素ガスで発泡させた、内部に空隙を有するとともに、表面に粘着性を有する材からなる。しかし、水切りＡ４は、水切りＡ２とは粘着層の形状が異なる。水切りＡ４では、背板部４ａの表面には、長さ方向に粘着層４ｄが延びており、粘着層４ｄの表面には、複数の突起部４ｄ１を有する。突起部４ｄ１は、粘着層４ｄの表面において、前方に突出した形状である。
【００２４】
図１１は、図９、１０に示す水切りを用いて形成された建築物の土台部の施工状態を示す断面図である。
図１１では、図９、図１０に示す水切りＡ４は、背板部４ａの裏面を建築物の構造躯体に当接するとともに、水切り板部４ｂと前板部４ｃが外壁板Ｄより下方となり、更に前板部４ｃが建築物の構造躯体より前方になる位置に固定してある。そして、水切りＡ４の背板部４ａの表面には、透湿防水シートＢが、粘着層４ｄにより固定されている。更に、透湿防水シートＢの表面には、胴縁がビスＣにより固定されており、該胴縁の表面には、外壁板Ｄが固定されている。この施工構造は、水切りＡ４を建築物の構造躯体に固定し、それから、水切りＡ４の背板部４ａの表面に透湿防水シートＢを固定するのだが、水切りＡ４の背板部４ａの表面には粘着層４ｄが設けられているので、粘着層４ｄにより透湿防水シートＢを固定することができる。また、粘着層４ｄは、表面に複数の突起部４ｄ１を有するので、胴縁が固定される前であれば、透湿防水シートＢは粘着層４ｄの複数の突起部４ｄ１の頂部に接着した状態、すなわち、粘着層４ｄの全体ではなく一部と接着した状態なので、透湿防水シートＢの剥がしと再固定を容易に行うことができる。そのため、透湿防水シートＢを貼る際に皺が発生しても、容易に直すことができる。なお、胴縁が固定されることにより、粘着層４ｄの複数の突起部４ｄ１は押し潰され、透湿防水シートＢと粘着層４ｄの接着面積は増加するので、透湿防水シートＢを確実に固定することができる。特に、粘着層４ｄは、スチレンーブタジエンーエチレン−スチレン共重合体を窒素ガスで発泡させた、内部に空隙を有する材よりなるので潰れやすく、透湿防水シートＢとの接着が強固になる。
よって、図９、１０に示す水切りＡ４によれば、施工が行いやすいとともに、透湿防水シートＢの貼り位置を容易に直すことができる。
【００２５】
以上に本発明の実施形態について説明したが、本発明はこれに限定されず、特許請求の範囲に記載の発明の範囲において種々の変形態を取り得る。例えば、水切りの粘着層は、剥離可能なシートにより覆われていても良く、施工の際に該シートを剥離して用いることができる。また、図１、図２の水切りにおいて、粘着層１ｄを千鳥状に配列しても良いし、ランダムに配列しても良し、形状も円錐形にしても良い。更に、図９、図１０の水切りにおいて、突起部４ｄ１を千鳥状に配列しても良いし、ランダムに配列しても良いし、突起部４ｄ１の形状も円錐形にしても良い。
【産業上の利用可能性】
【００２６】
以上説明したように、本発明によれば、施工が行いやすいとともに、透湿防水シートの貼り位置を容易に直すことができる水切りの施工方法を提供することができる。
【符号の説明】
【００２７】
Ａ１〜Ａ４      水切り
Ｂ              透湿防水シート
Ｃ              ビス
Ｄ              外壁板
１ａ〜４ａ      背板部
１ｂ〜４ｂ      水切り板部
１ｃ〜４ｃ      前板部
１ｄ〜４ｄ      粘着層
【図１】
0005646854.tif 000002
【図２】
0005646854.tif 000003
【図３】
0005646854.tif 000004
【図４】
0005646854.tif 000005
【図５】
0005646854.tif 000006
【図６】
0005646854.tif 000007
【図７】
0005646854.tif 000008
【図８】
0005646854.tif 000009
【図９】
0005646854.tif 000010
【図１０】
0005646854.tif 000011
【図１１】
0005646854.tif 000012